(57)【特許請求の範囲】
【請求項１】
画素に一つの色が対応した画素データが供給され、供給される画素データの色がつくる色配置のパターンを考慮して画像生成に用いる基本の色を生成する信号処理装置において、該装置は、
供給される画素データに対して色補正するデータ補正手段と、
該補正に応じて供給される画素データに、間引き処理による画素数に応じてフィルタ処理を施すフィルタ手段と、
該フィルタ処理を経て供給される各ラインの画素データのうち、色フィルタに用いられる色配置パターンが有する繰返される基本パターンを表す複数のラインの画素を同じタイミングで供給し、ライン中の同色の画素データを混色または同色だけの画素データを出力して、画素数を削減させる同色合成手段と、
該合成した各色の画素データの出力を切り換える出力切換手段と、
該出力切換手段の選択タイミングおよび前記データ補正手段の書込み／読出しイネーブル信号に関わる制御信号それぞれでタイミングを制御して、調整するデータ入出力制御手段と、
該選択した各色の画素データを用いて画素補間を施す補間手段とを含み、
該装置は、前記色配置パターンとして、ベイヤパターンを前記基本パターンに設定された画素データを入力し、
前記同色合成手段は、前記基本パターンのライン数より１少ない各ラインの画素データを記憶するライン記憶手段と、
前記基本パターンに応じて各ラインにおける画素データの出力タイミングを調整する出力タイミング調整手段と、
前記タイミング調整した画素データを色ごとに合成する合成手段とを含み、
前記出力タイミング調整手段は、一つのラインに含まれる色の種類およびまとめる画素数に応じてタイミング調整する遅延手段であることを特徴とする信号処理装置。
【請求項２】
画素に一つの色が対応した画素データが供給され、供給される画素データの色がつくる色配置のパターンを考慮して画像生成を行う際に用いる基本の色を生成する信号処理方法において、該方法は、
供給される画素データに対して色補正する第１の工程と、
該補正に応じて供給される画素データに、間引き処理による画素数に応じてフィルタ処理する第２の工程と、
該フィルタ処理を経て供給される各ラインの画素データのうち、色フィルタに用いられる色配置パターンが有する繰返される基本パターンを表す複数のラインの画素を、同じタイミングで供給し、ライン中の同色の画素データを混色または同色によりまとめて画素数を削減させ、さらに、まとめた同色の画素データ同士が前記基本パターンを形成するように画素データを出力する第３の工程と、
該合成した各色の画素データの出力タイミングを制御に応じて各色の画素データを切り換えて出力する第４の工程と、
出力する各色の画素データを用いて画素を補間する第５の工程とを含み、
該方法は、前記色配置パターンとして、ベイヤパターンを前記基本パターンに用いられた画素データを入力し、
第３の工程は、前記ベイヤパターンの画素データを供給し、各ラインに同色の画素データを複数個ずつまとめる第６の工程と、
該まとめた同色の画素データ同士を前記基本パターンを形成し、合成する第７の工程とを含むことを特徴とする信号処理方法。
【発明の詳細な説明】
【０００１】
【発明の属する技術分野】
本発明は、信号処理装置およびその信号処理方法に関し、特に、ディジタルカメラ等の画像入力装置に適用し、かつ色の配列を考慮して信号を読み出す信号処理や高速印刷用の信号処理等に用いて好適なものである。
【０００２】
【従来の技術】
単板式のディジタルカメラがカラーの撮像信号を出力させる際に、撮像素子に対して一つの色分解フィルタセグメントを割り当ててカラー情報を同時に得る方式が用いられる。色分解フィルタセグメントの配列に応じて各種の色フィルタアレイが提案され、そして用いられている。
【０００３】
良好な色調を考慮すると、一般的に単板式のディジタルカメラには原色タイプのベイヤ配列の色フィルタアレイが用いられることが多い。ベイヤ配列は、最初に色G, R が交互に配され、次のラインには色B, Gが交互に配される。この結果、三原色RGB の信号は、２ライン分を読み出したときにはじめてデータが揃うことになる。三原色RGB を揃えるように実現させるには、読み出した信号電荷を１ライン蓄積するとよい。したがって、回路には最低１ラインのラインメモリを用いている。
【０００４】
ディジタルカメラが静止画撮影する場合、処理時間に対する制約はない。したがって、２ライン分をまとめて読み出すようにラインメモリを用いてもこの場合差し支えない。ディジタルカメラはラインメモリとしてたとえば、ダイナミックRAM (Random Access Memory）を用いている。
【０００５】
これに対して、ディジタルカメラで動画撮影する場合、単位時間内に扱うフレーム数が少ないと、動画表示が不自然になってしまう。このため動画表示を満足させるには扱うフレーム数を増やすとともに、１フレームが取り扱う画素数も制限されることになる。具体的に、LSI (Large-Scale Integrated circuit)化するとき、表示要求に応じて動画用ラインメモリサイズが制限される。
【０００６】
【発明が解決しようとする課題】
ところで、主に動解像度の向上を目的として、特許第2587225 号公報の固体撮像装置が提案されている。この装置は、撮像素子駆動手段からP を自然数とし、1/P 水平期間ごとに撮像素子駆動信号を撮像素子に供給して信号電荷を読み出し、このときメモリ駆動手段により得られた画素データを1/P 水平期間に順次複数のメモリ部に書き込み、このメモリ部から１水平期間ごとにP 水平ラインを同時に読み出させ、撮像素子からの映像データを合成手段で合成して、水平ライン数が少なく、１行ずつ信号を読み出しであっても複数行の同時読出しと同様に、複数ラインの相関を利用して水平解像度を向上させている。また、固体撮像装置はカラーフィルタの種類によらず、フィールド蓄積型にでき、動解像度も向上させることができる。
【０００７】
また、特開2000-50291号公報の信号処理装置は、制御手段がベイヤパターンに基づいて供給される信号のサンプリングに対するタイミングの制御をブロックサンプリング手段に施し、ブロックサンプリング手段でブロックに対応した各画素位置のサンプリングを行い、表示データ生成手段で３つの色の画素値または輝度信号および色差信号を生成して垂直および水平方向に生じる偽色を抑制し、色再現性を向上させている。また、この装置は、サンプリング周波数を従来の半分に抑えて動作させることでムービーモードでの低消費電力化させている。
【０００８】
しかしながら、これら２つの提案では色フィルタパターンの配置関係に基づき個々の色の信号を生成する処理を行っているに過ぎず、画素データを供給する画素数の増分は何等対応が考慮されていない。
【０００９】
本発明はこのような従来技術の欠点を解消し、ラインメモリの容量に応じて入力画素数を表示可能な画素数に調整して出力する信号処理装置およびその信号処理方法を提供することを目的とする。
【００１０】
【課題を解決するための手段】
本発明は上述の課題を解決するために、画素に一つの色が対応した画素データが供給され、供給される画素データの色がつくる色配置のパターンを考慮して画像生成に用いる基本の色を生成する信号処理装置において、この装置は、色配置パターンで基本の色が繰り返される基本パターンのライン数を単位にして、各ラインの前記画素データの供給を制御するデータ供給制御手段と、この制御に応じて供給される画素データに複数個ずつまとめた表示を行わせることを考慮したフィルタ処理を施すフィルタ手段と、このフィルタ処理を経て供給される各ラインの画素データのうち、各ラインごとに同色の画素データを複数個ずつまとめ、さらにこのまとめた同色の画素データ同士を基本パターン内で合成する同色合成手段と、この合成した各色の画素データの出力を切り換える出力切換手段と、この出力切換手段の選択タイミングを制御する選択制御手段と、この選択した各色の画素データを用いて画素補間を施す補間手段とを含むことを特徴とする。
【００１１】
本発明の信号処理装置は、たとえば色配置パターンが基本的なベイヤパターンの場合、データ供給制御手段で２ラインを単位に単位内のラインを１ラインずつ画素データの供給を制御し、フィルタ手段で複数個ずつまとめた表示に合うフィルタ処理を施し、同色合成手段でライン内の同色画素データを同じタイミングでまとめ、基本パターンから基本の色を出力切換手段に出力し、選択制御手段の制御に応じて出力切換手段から画素データを出力し、補間手段で画素データの補間を行うことで、色ごとに異なる位置関係にある画素を水平方向に間引いたと同じ処理を施し、基本の色をそろえて、動画規定の時間以内での処理を完了させ、フィルタ処理および補間処理によって偽色および偽信号の発生を抑えている。
【００１２】
本発明は上述の課題を解決するために、画素に一つの色が対応した画素データが供給され、供給される画素データの色がつくる色配置のパターンを考慮して画像生成を行う際に用いる基本の色を生成する信号処理方法において、この方法は、色配置パターンで基本の色が繰り返される基本パターンのライン数を単位にして、各ラインの画素データの供給を制御する第１の工程と、この制御に応じて供給される画素データに複数個ずつまとめた表示を行わせることを考慮したフィルタ処理を施す第２の工程と、このフィルタ処理を経て供給される各ラインの画素データのうち、各ラインごとに同色の画素データを複数個ずつまとめ、さらにこのまとめた同色の画素データ同士を基本パターン内で合成する第３の工程と、この合成した各色の画素データの出力タイミングを制御する第４の工程と、この出力タイミングの制御に応じて各色の画素データを切り換えて出力する第５の工程と、この選択した各色の画素データを用いて画素補間を施す第６の工程とを含むことを特徴とする。
【００１３】
本発明の信号処理方法は、色配置パターンで基本の色が繰り返される基本パターンのライン数を単位に各ラインの画素データの供給を制御し、この制御に応じてフィルタ処理を施し、フィルタ処理を経て供給される各ラインの画素データのうち、同色の画素データの複数個ずつまとめと基本パターン内での合成を行い、次にこの合成した各色の画素データの出力タイミングを制御し、この制御に応じて各色の画素データを切り換えて出力し、この出力に対して画素補間を施すことで、色ごとに異なる位置関係にある画素を水平方向に間引いたと同じ処理を施し、基本の色をそろえて出力しながら動画規定の時間以内での処理を完了させ、フィルタ処理および補間処理によって偽色および偽信号の発生を抑えている。
【００１４】
【発明の実施の形態】
次に添付図面を参照して本発明による信号処理装置の実施例を詳細に説明する。
【００１５】
本実施例は、本発明と直接関係のない部分について図示および説明を省略する。ここで、信号の参照符号はその現れる接続線の参照番号で表す。
【００１６】
本実施例では設計時よりも撮像素子（＝画素）数が増加した際に信号処理装置10は、この増加に対応した構成へと回路構成の変更に余儀なくされる虞をなくし、拡張性に富んだ構成を提供する。この提供において、信号処理装置10では、特に、所定の時間内で動画表示処理の完了が要求される動画処理で問題になる。この問題点を考慮した信号処理装置10の構成を図１に示す。
【００１７】
信号処理装置10には、図１に示すように、データ補正部10a 、動画用信号処理部10b 、静止画用信号処理部10c および色差マトリクス部10d がある。
【００１８】
データ補正部10a は、フレームメモリ機能および各種の補正機能を含む。補正機能としては、たとえばガンマ補正やホワイトバランス等の調整機能である。ここでのガンマ補正は、消費電力や回路規模を小さくして信号処理のビット数を低減すること等も可能にする。データ補正部10a には、たとえば色フィルタの色フィルタセグメントを透過させ、光電変換することにより色情報を有する画素データ12が供給される。データ補正部10a には供給される画素データを記憶し、かつこの画素データの繰返し読出しが行われる場合、非破壊型のメモリが用いるとよい。
【００１９】
また、データ補正部10a に対する書込み／読出しは、後段で説明する動画用信号処理部10b または信号処理装置10を適用する装置のシステム制御部（図示せず）からの制御信号で制御するとよい。データ補正部10a は補正した画素データ14を動画用信号処理部10b および静止画用信号処理部10c にそれぞれ供給する。
【００２０】
動画用信号処理部10b には、ローパスフィルタ（以下、LPF という）100 、同色合成部10B 、セレクタ106 、データ入出力制御部108 、および画素補間処理部110 が含まれる。LPF 100 は、ディジタルフィルタで構成され、後述する間引き処理による画素数に応じたフィルタリングを行う機能を有する。LPF 100 は、フィルタ処理した画素データ16を同色合成部10B のラインメモリ部102 および間引き処理部104 にそれぞれ供給される。
【００２１】
同色合成部10B にはラインメモリ部102 および間引き処理部104 が含まれる。ラインメモリ部102 は、図１には図示しないが色フィルタに用いられる色配置パターンが有する繰返しの基本パターンを考慮して、この基本パターンを表すためのライン数から１ライン減じた数のラインメモリを有する。ラインメモリ部102 は読み出す基本パターンの供給開始から順次に供給される複数のラインの画素が同じタイミングで間引き処理部104 に供給させるために設けている。同じタイミングとは、基本パターンの供給における最後に供給されるラインのタイミングである。また、ラインのうち、１ラインの画素データは、ラインメモリ部102 を経ることなく、そのまま間引き処理部104 に供給される。ラインメモリ部102 はライン単位の遅延を行って間引き処理部104 に画素データ18を出力する。
【００２２】
なお、基本パターンが３ライン以上で構成される場合、ラインメモリ部102 は、ラインメモリをカスケード接続するとともに、各ラインメモリと間引き処理部104 とをライン接続している。
【００２３】
間引き処理部104 は、複数の遅延素子および加算器を含む（図示せず）。間引き処理部104 は、水平方向に各ラインにおける画素データが有する色の配置関係を考慮して、まとめる画素数に応じて遅延素子を配設する。そして、間引き処理部104 はライン中の同色の画素データが同じタイミングで得られるように遅延素子の出力端を加算器の入力端と接続する。この接続により、加算器は混色した画素データまたは同色だけの画素データを出力する。間引き処理部104 は、このように混色または同色にかかわらず画素データを加算することにより、画素数を削減させている。
【００２４】
さらに同一のラインや他のラインからの同色の画素データを加算するようにしてもよい。間引き処理部104 は、表示用の画像データとしてモニタへの供給に用いる三原色RGB の画素データ20a, 20b, 20c をセレクタ106 に供給する。
【００２５】
セレクタ106 は、供給される画素データ20a, 20b, 20c のうち、色が同じ関係（すなわち、同色）で得られるタイミングを考慮して出力制御する。この出力制御はデータ入出力制御部108 からの制御信号108aに応じて行う。セレクタ106 は、選択した画素データ22a, 22b, 22c を画素補間処理部110 に同色の画素データだけを出力する。また、セレクタ106 は、同時化して出力することに限定するものでなく、異なるタイミングであっても加算して三原色RGB が得られた際に、混色なく出力させるように制御させてもよい。
【００２６】
データ入出力制御部108 は、上述したセレクタ106 の選択制御およびデータ補正部10a の書込み／読出しイネーブル信号に関わる制御信号108bをそれぞれタイミング調整して出力する。データ入出力制御部108 は搭載する装置のシステム制御部にこの機能を持たせてもよい。
【００２７】
画素補間処理部110 は、供給される画素データ22a, 22b, 22c を用いて中間位置または中間位置近傍の画素における新たな三原色RGB データを補間生成する機能を有する。この補間は、水平方向に得られた三原色RGB データの各色ごとの加算平均により行われる。また、垂直方向に対しても同様に加算平均することで新たな画素データを生成することもできる。この際、水平および垂直方向の補間を検討すると、補間生成する位置をライン間に画素が生成される。この場合の補間は、結果的に仮想的に画素ずらし位置での画素生成を行っていることになる。画素補間処理部110 は、供給された画素データ22a, 22b, 22c および補間生成した画素データを含めた画素データ24a, 24b, 24c をモニタに出力するとともに、色差マトリクス部10d にも供給する。
【００２８】
静止画用信号処理部10c には、図示しないが供給される画素データ14を用いて、各ラインの三原色RGB の画素データを用いて水平方向の補間を繰り返し行って各画素に対する三原色RGB を生成する。これにより、３板式の色フィルタを用いた場合と同様に各色ごとにプレーンな画素データ26a, 26b, 26c が生成される。
【００２９】
なお、供給される画素データ14が、たとえば画素ずらしされた、いわゆるハニカム型に配列した画素データの場合、静止画用信号処理部10c は、上述したプレーンな画素データの生成だけでなく、供給される画素データ14を用いて高周波輝度データを生成し、実在する画素および実際には存在しない画素に囲まれた位置に生成した仮想画素に対して広帯域化処理を施して出力する。
【００３０】
色差マトリクス部10d は、静止画モードまたは動画モードに応じて、それぞれ、静止画用信号処理部10c または動画用信号処理部10b のいずれか一方から三原色データ26a, 26b, 26c または画素データ24a, 24b, 24c を入力する。これらの画素データを用いて色差マトリクス部10d は、輝度データY 、色差データCr, Cbを生成している。色差マトリクス部10d は、ここで行うマトリクス演算にはこれまで用いてきた従来の算出式を用いている。色差マトリクス部10d は、生成した輝度データY (28a）および色差データCr(28b）, Cb(28c）を後段の後信号処理部（図示せず）に供給する。後信号処理部には、たとえば歪み防止処理部、アパーチャ調整部、および色差ゲイン調整部等がある。これらは、特にハニカム型の信号が供給される場合に有効である。
【００３１】
簡単に後信号処理部について説明する。歪み防止処理部には、供給される３つの信号の帯域を損なうことなく、折返し歪みを発生させないように高域にまで帯域のあるローパスフィルタがある。また、歪み防止処理部では、水平および垂直方向の周波数帯域の重複している領域に対して一方の方向の重複する周波数帯域を制限している。これにより、周波数の重複による画質劣化を回避している。アパーチャ調整部は、たとえば、ローパスフィルタ処理によって高域成分の低下を改善するように処理して出力する。この結果、画像には輪郭（エッジ）強調処理が施されたと同様の効果がもたらされる。また、色差ゲイン調整部は、供給される色差データCr, Cbに対してゲイン調整を行い、所定のレベルに揃えている。信号処理装置10は、このように生成した輝度データY 、色差データCr, Cbを出力する。
【００３２】
ここで、信号処理装置10のより具体的な実施例を用いて説明する。この実施例では、図２に示す基本的なベイヤパターン30によって得られた画素データ14が供給される場合である。このベイヤパターン30は、繰り返される基本的なパターン領域32は「GRGRGR・・・・」と「BGBGBG・・・・」の２ラインである。ラインメモリ部102 には前述した関係から１つのラインメモリ102aを設ければよいことがわかる（図３を参照）。また、間引き処理部104 では、水平方向には各ラインの色に対して２画素ずつまとめている。すなわち、間引き処理部104 では、ラインの２色に対してそれぞれ２画素ずつまとめるとともにタイミング調整を図ることから、各ラインに３つの遅延素子104a〜104c／104d〜104fを計６個設ければよいこともわかる。そして、間引き処理部104 には同色を合成するための加算器104g, 104h, 104iが配設されている。加算器104gには読み出された画素データ14と遅延素子104bの出力が入力されることにより、１画素おきに供給される同色の画素データを加算することができる。
【００３３】
たとえば、GBGB・・・ の順に供給された際に、色B の画素データに対して加算した色G の画素データは１つ進んでいる。このため、遅延素子104cが設けられる。加算器104gは次の加算時に色B の画素データを出力する。したがって、色G, Bの画素データは同じタイミングで得られることになる。加算器104gはセレクタ106 と信号線34を介して接続している。遅延素子104cはセレクタ106 と信号線36を介して接続している。
【００３４】
隣接するラインにはラインメモリ102aからの画素データ18が間引き処理部104 に供給される。２画素加算して間引くことから信号線の接続関係は前述した接続関係とほぼ同じである。このラインには、たとえば、この場合RGRG・・・ の順に供給されることになるので、色R の画素データが色G の画素データよりも進んで加算器104iから出力される。色R, Gの同時化を考慮すると、加算器104iは色G の画素データを取り出すように信号線38を介してセレクタ106 に供給するとよい。色R に関して遅延素子104fは出力40をセレクタ106 に出力する。
【００３５】
加算器104hにはこのタイミングで色G の加算した画素データが供給される。加算器104hは供給される画素データを加算することにより演算上４倍の色G の画素データを出力することになる。セレクタ106 は、供給される制御信号108aに応動して三原色RGB のそれぞれ、画素データ22a, 22b, 22c を出力する。セレクタ106 は選択によって画素データ22a, 22b, 22c の大きさの比として1:1:1 または1:2:1 の画素データを出力することができる。選択は１クロックおきに行うとよい。
【００３６】
また、他の具体例として前述と同様に基本的なベイヤパターンの画素データ14が供給され、画素データ14に対する水平方向に２画素／３画素の間引き処理を行う場合について説明する（図４を参照）。前述の２画素の間引き処理に比べて最大３画素分の遅延と同時化にともなうタイミング調整を行うことから遅延素子は１ラインあたり４個ずつ用いる。先の実施例と比較すると、遅延素子104g, 104hが追加されていることがわかる。同色の画素データを加算するように６つの加算器42〜52が配設されている。画素データは各ラインにGBGB・・・/RGRG・・・ が供給されているとする。
【００３７】
加算器42は遅延素子104gの出力と画素データ14とを用いて色G の画素データを加算して加算器44に出力する。加算器44は加算器42の出力と遅延素子104bからの出力とを加算して3Gの画素データを生成してセレクタ106 に出力する。また、加算器46は、色B に対する加算を行うように遅延素子104a, 104cからの出力を加算して２倍の色B の画素データ2Bを生成してセレクタ106 に出力する。
【００３８】
そして、隣接するラインに対する間引き処理は、ラインメモリ102aからの画素データ18を用いて行う。接続関係は上述した接続と同じで構わない。加算器48, 50を介して色R の画素データが加算され、最終的に３倍の色R の画素データ3Rを生成する。加算器50は、生成した色R の画素データをセレクタ106 に供給する。加算器52は、色G の画素データを加算して画素データ2Gにする。加算器52は加算した画素データをセレクタ106 に供給している。図４には図示していないが、各ラインで得られた色G の画素データを加算した画素データ5Gをセレクタ106 に供給してもよい。
【００３９】
セレクタ106 は供給される三原色RGB の画素データの選択を１クロックおきに行う。ただし、遅延素子からセレクタ106 に供給されるまで出力は停止状態にしておくことは言うまでもない。セレクタ106 は比のバランスを考慮した選択を行うことによって画素データ22a, 22b, 22c の大きさの比として2:3:3 、または2:2:3 の画素データを出力することができる。加算器44, 50を用いないで３画素の中央位置の画素を無視すると、大きさの比を1:1:1 にすることができる。
【００４０】
間引き処理は、各ラインに対して前述した間引きに限定されるものではない。さらに、間引き処理は３画素間引き、４画素間引き等、たとえば画素数および読出し処理時間の要求に合わせて変更すればよい。したがって、撮像素子の画素数が増加した際にはこの部分だけの変更で済ませることができるので、すでに開発済みのLSI の再設計をしないで済む。これは信号処理装置10を適用する装置の設計の自由度を高めるとともに、たとえば固体撮像装置等の変更にともなうこの適用した装置の開発コストを大幅に削減することができる。また、信号処理装置10は、回路的に小さくでき、消費電力も低下させることができる。
【００４１】
このようにして得られた三原色RGB の画素データを画素補間処理部110 に供給して水平および／または垂直方向に対する画素補間を加算平均して行う。これにより、画素補間処理部110 ではたとえば、単に間引きした際に比べて得られる画像に対する偽色および偽信号の発生を抑えるように調整を施すことができる。したがって、信号処理装置10は、画像入力を担う撮像部で画素数の増加が行われても色フィルタセグメントの配置パターンを考慮した動画対応の処理回路を用いて信号処理を行うことで適用した装置が生成する動画表示に影響を与えない高いフレキシビリティをもたらすことができる。
【００４２】
なお、信号処理装置10は、動画に限定されず、たとえば高速処理を行う静止画やインデックス画像の生成でも適用すると有利である。
【００４３】
これまで述べた実施例は、基本的なベイヤパターンに対する処理を説明してきたが、ベイヤパターンには各種の改良型もある（図５を参照）。図5(a)、5(b)のベイヤパターンはともに改良型で基本パターン領域32が４ラインである。このような場合でもラインメモリ部102 は、基本パターンに応じたライン数のラインメモリを用意するとよい。
【００４４】
この他、供給される画素データ14は、１ラインに全色（RGB ）が揃うG ストライプRB完全市松パターン、ハニカム型のG 正方RB完全市松パターン、および補色パターンで供給される場合にも各色配置パターン、間引く画素数、および同時化のタイミングを考慮すると間引き処理を的確に行うことができる。
【００４５】
前述したように間引き処理前のローパスフィルタ処理および間引き処理後に画素補間処理を施していることから単に間引き処理した場合よりも偽色や偽信号の発生を抑えることができる。実際、この処理により得られる画像は、本来の画素数が非常に多いので、間引きした画像であっても画質の劣化はそれほど目立たない。
【００４６】
以上のように構成することにより、画素数が増加してもローパス処理を経た色配置パターンに応じて供給される画素データに対して規定時間内の動画表示を満足させるとともに、画素数も増加しているから間引きして得られる画像であっても画質の劣化はそれほど目立たない画像が得られ、開発済みのLSI に対する再設計を避けることができ、開発コストを削減させることができる。
【００４７】
【発明の効果】
このように本発明の信号処理装置および信号処理方法によれば、データ供給制御手段でラインを単位に単位内のラインを１ラインずつ画素データの供給を制御し、フィルタ手段で複数個ずつまとめた表示に合うフィルタ処理を施し、同色合成手段でライン内の同色画素データを同じタイミングでまとめ、基本パターンから基本の色を出力切換手段に出力し、選択制御手段の制御に応じて出力切換手段から画素データを出力し、補間手段で画素データの補間を行うことで、色ごとに異なる位置関係にある画素を水平方向に間引いたと同じ処理を施し、基本の色をそろえて、フィルタ処理および補間処理によって偽色および偽信号の発生を抑えることにより、画素数が増加してもローパス処理を経た色配置パターンに応じて供給される画素データに対して高速処理に応動した間引き処理を施し、さらに得られた画素データを用いて画素データの位置および画素数等を考慮して補間処理を行って、動画に規定された時間以内での動画像の生成が完了するようにし、得られる画像に発生する偽色や偽信号を抑えている。画素数も増加しているから間引きした画像であっても画質の劣化はそれほど目立たなくすることができ、開発済みのLSI に対する再設計を避けることができ、開発コストを削減させることができる。
【図面の簡単な説明】
【図１】本発明を適用した信号処理装置の概略的なブロック図である。
【図２】図１の信号処理装置に供給される画素データに対するベイヤパターンの色配置を示す模式図である。
【図３】図１の動画用信号処理部における間引き処理部の具体的な構成を示す回路図である。
【図４】図１の動画用信号処理部における間引き処理部の他の具体的な構成を示す回路図である。
【図５】図２のベイヤパターンを改善した際の他の色配置パターンを示す模式図である。
【符号の説明】
10  信号処理装置
10a データ補正部
10b 動画用信号処理部
10c 静止画用信号処理部
10d 色差マトリクス部
10B 同色合成部
100 ローパスフィルタ
102 ラインメモリ部
104 間引き処理部
106 セレクタ
108 データ入出力制御部
110 画素補間処理部
【図１】
0004249909.tif 000002
【図２】
0004249909.tif 000003
【図３】
0004249909.tif 000004
【図４】
0004249909.tif 000005
【図５】
0004249909.tif 000006